(57)【特許請求の範囲】
【請求項１】
第１のチャネルから第２のチャネルへのチャネル選択ナビゲーションが、音声−映像レンダリングデバイスに関連するトリックプレイコマンドによって作動するとき、前記音声−映像レンダリングデバイスでのマルチメディアデータの表示を制御する方法であって、
マルチメディアデータが、あるタイプのマルチメディアコンテンツを有し、前記音声−映像レンダリングデバイスで受信するチャネルで送信される方法において、
−前記トリックプレイコマンドによって作動した動作をインターセプトするステップと、
−前記トリックプレイコマンドのインターセプトした動作が、チャネル選択ナビゲーションを作動させるかどうかを分析するステップと、
−前記インターセプトしたトリックプレイコマンドがチャネル選択ナビゲーションを作動させる場合に、前記第２のチャネルで送信されるマルチメディアデータを解釈するステップと、
−前記第２のチャネルで送信されるマルチメディアデータが、所定のコンテンツタイプのものである場合に、この送信されるマルチメディアデータが前記音声−映像レンダリングデバイスに表示されるのを防止するステップと、
前記音声−映像レンダリングデバイスで、前記所定のコンテンツタイプのマルチメディアデータの差し替えで第２のコンテンツタイプのマルチメディアデータを表示するステップであって、前記第２のコンテンツタイプが、前記所定のコンテンツタイプと異なる、ステップと、
前記第２のチャネルで送信される前記所定のコンテンツタイプのマルチメディアデータを、所定の時間が経過した後に前記音声−映像レンダリングデバイスに表示させることを可能にするステップと
を含むことを特徴とする、方法。
【請求項２】
前記チャネル選択ナビゲーションが、前記音声−映像レンダリングデバイスのユーザによって制御される前記トリックプレイコマンドを介して電子番組ガイドＥＰＧを選択することを含むことを特徴とする、請求項１に記載の方法。
【請求項３】
前記チャネル選択ナビゲーションが、前記音声−映像レンダリングデバイスのユーザによって制御される前記トリックプレイコマンドを介してチャネルのモザイク視聴を選択することを含むことを特徴とする、請求項１に記載の方法。
【請求項４】
前記チャネル選択ナビゲーションが、前記音声−映像レンダリングデバイスのユーザによって制御される前記トリックプレイコマンドを介して前記第２のチャネルに切り替えることを含むことを特徴とする、請求項１に記載の方法。
【請求項５】
前記第２のコンテンツタイプの前記マルチメディアデータが、そのときに前記第２のチャネルで送信される前記所定のコンテンツタイプのマルチメディアデータの差し替えで、前記所定の時間の間に、前記音声−映像レンダリングデバイスに表示されることを特徴とする、請求項１に記載の方法。
【請求項６】
前記方法が、前記音声−映像レンダリングデバイスで前記第２のチャネルが選択される時間がどのくらいかを測定するステップを含むことを特徴とする、請求項５に記載の方法。
【請求項７】
チャネルで送信されるマルチメディアデータが、サーバによって提供され、
前記所定のコンテンツタイプのマルチメディアデータが、第１のサーバタイプのサーバによって提供され、
前記第２のコンテンツタイプのマルチメディアデータが、第２のサーバタイプのサーバによって提供されることを特徴とする、請求項１に記載の方法。
【請求項８】
前記第２のコンテンツタイプの前記マルチメディアデータが、前記第２のチャネルで送信されるマルチメディアデータに関係するが、前記所定のコンテンツタイプのマルチメディアデータと異なることを特徴とする、請求項７に記載の方法。
【請求項９】
前記所定のコンテンツタイプのマルチメディアデータが広告であることを特徴とする、請求項５に記載の方法。
【請求項１０】
リモートコントロールユニットを備えた音声−映像レンダリングデバイスでのマルチメディアデータの表示を制御するための制御デバイスであって、
マルチメディアデータが、あるタイプのマルチメディアコンテンツを有し、前記音声−映像レンダリングデバイスで受信されるチャネルで送信され、
前記リモートコントロールユニットが、第１のチャネルから第２のチャネルへのチャネル選択ナビゲーションを作動させるように構成される制御デバイスにおいて、
−前記リモートコントロールユニットの動作をインターセプトするように構成されたリモートコントロールユニットコマンド受信機と、
−前記リモートコントロールユニットのインターセプトした動作が、チャネル選択ナビゲーションを作動させることを含むかどうかを分析するように構成されたトリックプレイコマンドアナライザと、
−前記リモートコントロールユニットがチャネル選択ナビゲーションを作動させた場合に、前記第２のチャネルで送信されるマルチメディアコンテンツのタイプを解釈するように構成された検索／発見モード検出器と、
−前記第２のチャネルで送信されるマルチメディアデータが所定のコンテンツタイプのものである場合に、前記第２のチャネルで送信されるマルチメディアデータが前記音声−映像レンダリングデバイスに表示されるのを防止するように構成されたマルチメディアコンテンツタイプコントローラと、
前記所定のコンテンツタイプのマルチメディアデータの差し替えで第２のコンテンツタイプのマルチメディアデータを、前記音声−映像レンダリングデバイスに表示することを制御するように構成された番組フィーダであって、マルチメディアコンテンツの前記第２のコンテンツタイプが、マルチメディアコンテンツの前記所定のコンテンツタイプと異なる、番組フィーダとを備え、
前記マルチメディアコンテンツタイプコントローラが、前記第２のチャネルで送信される前記所定のコンテンツタイプのマルチメディアデータを、所定の時間が経過した後に前記音声−映像レンダリングデバイスに表示させることを可能にするようにさらに構成されたことを特徴とする、制御デバイス。
【請求項１１】
前記番組フィーダが、前記第２のコンテンツタイプのマルチメディアを提供するように構成された少なくとも１つのサーバに結合されることを特徴とする、請求項１０に記載の制御デバイス。
【請求項１２】
前記第２のコンテンツタイプの前記マルチメディアデータが、前記第２のチャネルで送信されるマルチメディアデータに関係するが、前記所定のコンテンツタイプのマルチメディアデータと異なることを特徴とする、請求項１０に記載の方法。
【請求項１３】
前記所定のコンテンツタイプのマルチメディアデータが広告であることを特徴とする、請求項１０に記載の方法。
【発明の詳細な説明】
【技術分野】
【０００１】
本発明は、第１のチャネルから第２のチャネルへのチャネル選択ナビゲーションが、音声−映像レンダリングデバイスに関連するトリックプレイコマンドによって作動するとき、前記レンダリングデバイスでのマルチメディアデータの表示を制御するための方法に関し、マルチメディアデータは、あるタイプのマルチメディアコンテンツを有し、前記レンダリングデバイスで受信するチャネルで送信される。
【背景技術】
【０００２】
消費者市場は、旧式のアナログＴＶ放送から、デジタルＴＶ放送、デジタルケーブルＴＶおよびＩＰＴＶに移行しているだけではなく、インターネット上のＴＶ「Ｏｖｅｒ  Ｔｈｅ  Ｔｏｐ」に増々移行している。
【０００３】
このタイプの音声−映像レンダリングデバイスを用いて、特定のマルチメディアデータが、このデバイスで、どれが、どのように、いつ表示されるかを制御することが重要になる可能性がある。例えば、その日の特定の時間の「アダルトの」マルチメディアデータの表示、またはそのレンダリングデバイスでユーザが快適に見ることを妨害しかねないときの広告の表示を防止するためのペアレンタルコントロールを実行することが必要となりうる。
【０００４】
本発明は、より詳細には、ただしこれに限らないが、チャネル変更操作中に、表示を防止すべき特定タイプのマルチメディアコンテンツとしての広告に関し、より詳細については以下に説明する。
【０００５】
タイムシフトまたは家庭用録画などを伴わない、旧式のアナログＴＶまたはデジタルＴＶ放送では、広告または「ａｄｓ」を回避するためにユーザがチャネルを変更する可能性は常にあり、アナログＴＶで広告のスキップを防止するための満足な技術的解決策はないので、これは、検出または防止することができない。
【０００６】
新たなデジタルの解決策では、人が広告を通過して早送りすることができるような、ユーザが、任意のプログラムされた広告を見ることをより容易に回避できるような、利用可能なタイムシフトＴＶおよび／または家庭内のもしくはネットワークのデジタルビデオ録画機能が多く存在する。
【０００７】
タイムシフトＴＶという面では、タイムシフト機能が、広告があるとき、早送りボタンを無効にすることが異常となるような、１つの（ほとんど）制約されないタイムグライディング機能として認知されている。
【０００８】
同様に、ユーザが家庭用デジタルビデオ録画機からのコンテンツを観覧するとき、このデバイスは、早送りボタンが認知されている（ＶＣＲとも呼ばれる）旧式のアナログＶＨＳビデオ録画機と同様に、プログラムされた広告の全体をスキップする完全な自由を提供すると認知されている。
【０００９】
現時点では、タイムシフトまたは録画を伴わないアナログまたはデジタルＴＶ放送では、ユーザが、広告または任意の他の所定のコンテンツタイプのマルチメディアデータを見ることを回避するために、例えばリモートコントロールユニットを介してトリックプレイコマンドによって作動するチャネル選択ナビゲーションを実行するのを防止するための技術的解決策はない。
【００１０】
ユーザがチャネル選択ナビゲーションを実行しているとき、得られるチャネル変更ユーザエクスペリエンスは、音声−映像レンダリングデバイスで放映または表示され、ユーザが有効かつ気持ちよく番組を発見することを妨げる、広告の存在によって変えられうる。
【００１１】
現在は、チャネルのブラウジング中に、所期のチャネルの代わりに広告が放映されるとき、ただしチャネルがタイムシフトモードで見られている、または番組がダウンロードもしくは録画されるときのみ、ユーザは広告を通過して早送りすることができ、そうでない場合は広告をスキップすることができない。これは、ＴＶ番組を通じて有効かつ快適にチャネルを発見しブラウジングすることを妨げ、特にチャネル選択ナビゲーション中のユーザエクスペリエンスの品質を低下させる。電子番組ガイドＥＰＧまたはモザイク表示は、表示されたチャネルの以前のまたは目下のライブ放送を提供することができるが、コンテンツの供給は、通常、これらの供給のうちかなりの割合が、実際の番組コンテンツの代わりに広告となりうるようなライブ放送のＴＶ番組からなるものであり、それによって提供される番組の中からユーザが効率的に選ぶということが妨げられる。
【００１２】
一方で、番組に資金を提供するために広告が必要とされるが、Ｏｖｅｒ  Ｔｈｅ  Ｔｏｐ  ＯＴＴの解決策またはデジタルＴＶの解決策では、ユーザが見るものを探すためにチャネル選択ナビゲーションを実行する間広告が放映されると、番組の発見は容易ではなく、より困難になる。
【先行技術文献】
【特許文献】
【００１３】
【特許文献１】米国特許出願公開第２０１０／１６２２９８号明細書
【特許文献２】国際公開第９９／５２２８５号
【特許文献３】国際公開第２００６／０３５４０６号
【特許文献４】米国特許出願公開第２０１１／０８８０６１号明細書
【特許文献５】国際公開第９７／４２７５９号
【発明の概要】
【発明が解決しようとする課題】
【００１４】
本発明の目的は、音声−映像レンダリングデバイスで、ユーザが見る番組を検索するとき、チャネル選択ナビゲーションが、例えば広告またはアダルトコンテンツなどの所定のコンテンツタイプのマルチメディアデータの表示によって変えられない方法を提供することである。
【課題を解決するための手段】
【００１５】
本発明の特徴的な実施形態によれば、この目的は、前記方法が、
−作動したトリックプレイコマンドをインターセプトするステップと、
−インターセプトしたトリックプレイコマンドがチャネル選択ナビゲーションを作動させるかどうか分析するステップと、
−前記インターセプトしたトリックプレイコマンドがチャネル選択ナビゲーションを作動させる場合に、前記第２のチャネルで送信されたマルチメディアデータを解釈するステップと、
−前記第２のチャネルで送信されたマルチメディアデータが前記所定のコンテンツタイプのものである場合に、この送信されたマルチメディアデータが、前記音声−映像レンダリングデバイスに表示されることを防止するステップと、
を含むことに因り達成される。
【００１６】
チャネル選択ナビゲーションが実行されるとき、例えば広告などの所定のコンテンツタイプのマルチメディアデータが表示されるのを防止するので、ユーザは、見る番組を有効かつ気持ちよく探すことができる。これは、ユーザによって実行されるチャネル選択ナビゲーション中の番組検索エクスペリエンスを改善する。
【００１７】
Ｋｗｏｈ、Ｄａｎｉｅｌ  Ｓ．（Ｌａ  Ｃａｎａｄａ／Ｆｌｉｎｔｒｉｄｇｅ、ＣＡ）およびＭａｎｋｏｖｉｔｚ、Ｒｏｙ  Ｊ．（Ｅｎｃｉｎｏ、ＣＡ）による、「Ａｐｐａｒａｔｕｓ  ａｎｄ  ｍｅｔｈｏｄ  ｆｏｒ  ａｌｌｏｗｉｎｇ  ｒａｔｉｎｇ  ｌｅｖｅｌ  ｃｏｎｔｒｏｌ  ｏｆ  ｔｈｅ  ｖｉｅｗｉｎｇ  ｏｆ  ａ  ｐｒｏｇｒａｍ」という名称の２０００年９月５日に公告された米国特許出願第６１１５０５７Ａ号により、番組の視聴の評価レベルの制御を可能にするための装置が開示されることに留意されたい。この装置は、番組の視聴を制御するために所望の評価レベルを入力するためのデバイスと、番組ビデオセグメントから評価データを抽出するためのデバイスであって、その評価データが番組ビデオセグメントの評価レベルを示す、抽出するためのデバイスと、番組ビデオセグメントからその番組ビデオセグメントのコンテンツを表すテキストデータを抽出するためのデバイスとを含む。この装置は、番組ビデオセグメントが、入力された所望の評価レベルに関して容認可の視聴の評価レベルを有することを、抽出した評価データが示すかどうかを判定するためのデバイスと、番組ビデオセグメントが入力した所望の評価レベルに関して容認不可の視聴の評価レベルを有することを、抽出した評価データが示すと判定された場合に、その番組ビデオセグメントの放映を遮断するためのデバイスとを含む。この装置は、番組ビデオセグメントが、入力した所望の評価レベルに関して容認不可の視聴の評価レベルを有することを、抽出した評価データが示すと判定された場合に、遮断された番組ビデオセグメントの代わりに、番組ビデオセグメントのコンテンツを表す抽出したテキストデータの表示を使用するためのデバイスをさらに含む。
【００１８】
この知られている文書により、容認不可の評価が言語による説明で書き換えられるペアレンタルコントロール解決策が開示される。言い換えれば、レベル評価の容認可または容認不可は、第２のチャネルで送信されるデータの技術的側面であり、制御される。本発明は、技術的側面またはレベル評価が検証されるのではなく、次に第２のチャネルで送信されるマルチメディアコンテンツのタイプがすぐに検証される点でこの文書のコンテンツと区別される。
【００１９】
このことにより、この文書は、先に示した、すなわち「音声−映像レンダリングデバイスでユーザが見る番組を検索するとき、チャネル選択ナビゲーションが、例えば広告またはアダルトコンテンツなどの所定のコンテンツタイプのマルチメディアデータの表示によって変えられない方法を提供すること」という本発明の問題を解決しない。
【００２０】
ＡＨＮ  ＳＵＮＧ−ＷＯＯＫ［ＫＲ］による、「ＭＥＴＨＯＤ  ＡＮＤ  ＡＰＰＡＲＡＴＵＳ  ＦＯＲ  ＲＥＣＥＩＶＩＮＧ  ＢＲＯＡＤＣＡＳＴ  ＤＡＴＡ」という名称の２０１０年６月２４日に公告された、米国特許出願公開第ＵＳ２０１０／１６２２９８Ａ１号により、放送データを出力する方法が開示され、この方法が、広告データが提供されている間、第１のチャネルから第２のチャネルに変更するリクエストが受信されるとき、第１のチャネルに提供される広告データを出力するステップと、第２のチャネルに関する情報に従ってチャネルを変更するかしないかを判定するステップと、この判定に従って第１のチャネルから第２のチャネルに選択的に変更するステップとを含む。
【００２１】
この他の知られている文書により、広告へのザッピング、キャッシュ／遅延を防止する、広告の解決策が開示される。より詳細には、この他の知られている文書により、第２のチャネルが広告を表示するときこの第２のチャネルにザッピングすることを防止する方法が開示される。
【００２２】
対照的に、本発明では、第２のチャネルへのザッピングがとにかく許可され、この第２のチャネルでの広告の表示のみが変更される。
【００２３】
さらに、この他の文書では、広告が第２のチャネルに表示される時間は、知られている時点に対応するが、本発明では、第２のチャネルのコンテンツは、この第２のチャネルで送信されるマルチメディアデータが所定のコンテンツタイプのものであるかどうかを検出するために、分析される。
【００２４】
したがって、本発明は、広告の検出においてより柔軟である。
【００２５】
ＤＩＳＣＯＶＥＲＹ  ＣＯＭＭＵＮＩＣＡＴ  ＩＮＣ［ＵＳ］による、「ＴＡＲＧＥＴＥＤ  ＡＤＶＥＲＴＩＳＥＭＥＮＴ  ＵＳＩＮＧ  ＴＥＬＥＶＩＳＩＯＮ  ＤＥＬＩＶＥＲＹ  ＳＹＳＴＥＭＳ」という名称の１９９９年１０月１４日に公告された、国際公開第ＷＯ９９／５２２８５Ａ１号により、オペレーションセンタ（２０２）またはケーブルヘッドエンド（２０８）に接続されたテレビ端末（２２０）宛のターゲット広告を許可するように設計された、多重チャネルアーキテクチャ（２６５）が開示されることに留意されたい。番組チャネルは、テレビ番組を伝える。本発明は、上りデータ受信ハードウェア（２６２、２７５、２９７）、データベース（３０１）、および処理ハードウェア（２８５、２９３）とこれらの機能を遂行するソフトウェアを使用する。テレビ番組のコマーシャル休憩中に、番組チャネルでも放送される広告が表示される。ただし、追加のフィーダチャネルは、ある一定の視聴者にとってより一層適することができる代替の広告を伝える。オペレーションセンタ（２０２）またはケーブルヘッドエンド（２０８）は、支配的な影響力の範囲および家計収入などの因子に基づいて、テレビ端末（２２０）をグループに割り当てるグループ割当てプラン（２９３、２９９）を生成する。次いで切替えプラン（２９１）が、生成され、テレビ端末（２２０）に、番組チャネルに留まるように、または番組休憩中に代替のフィーダチャネルの１つに切り替えるように、指示する。テレビ端末（２２０）は、番組休憩中にどのチャネルが視聴されたかを記録し、この情報をケーブルヘッドエンド（２０８）およびオペレーションセンタ（２０２）に報告する。報告した情報は、コマーシャルの広告主のためにビリングを生成し、視聴者の視聴習性を分析するために使用される。
【００２６】
この他の文書は、現場でのログの問題にも対応する動的ターゲット広告についてしばしば引用される開示に言及している。
【００２７】
重ねて言うが、この他の文書は、本発明の実施形態の有利な特徴について開示も教示もしていない。
【００２８】
以下に続く他の文書は、本発明に対する代替の解決策である。ただし、重ねて言うが、これらの解決策は、本発明の有利な特徴に達していない。
【００２９】
ＫＯＮＩＮＫＬ  ＰＨＩＬＩＰＳ  ＥＬＥＣＴＲＯＮＩＣＳ  ＮＶ  ［ＮＬ］、  ＰＨＩＬＩＰＳ  ＣＯＲＰ  ［ＵＳ］、  ＤＯＯＭＳ  ＪＡＣＯＢＵＳ  ［ＮＬ］による、「ＳＭＡＲＴ  ＺＡＰＰＥＲ」という名称の、２００６年４月６日に公告された、国際公開第ＷＯ２００６／０３５４０６Ａ１号により、種々の入力信号を受信する種々のチャネルに同調可能なチューナーを有する受信機を含むエンターテイメントシステムが開示されることにさらに留意されたい。この中で、コントローラは、チューナーを異なるチャネルに同調させるための制御信号を発生するように構成される。このコントローラは、目下のチャネルで広告を検出し、制御基準に応答して異なるチャネルを選択するための制御信号を発生する。制御基準は、目下のチャネルのコンテンツプログラミングと同調する次のチャネルのコンテンツプログラミングとの間の類似点を含む。この類似点は、利用可能なチャネルのコンテンツ、電子番組ガイドまたは信号に含まれるメタデータ情報を分析することにより判定されうる。制御基準は、別の広告をもたない選択されたチャネルも含むことができる。制御信号は、目下のチャネルの広告の検出に応答して、またはユーザ行動に応答して生成されうる。
【００３０】
ＢＡＲＲＥＴＴ  ＢＲＡＤ  Ｃ  ［ＣＡ］、  ＶＡＳＩＬＡＫＯＳ  ＪＯＨＮ  ＡＮＤＲＥＷ  ［ＣＡ］による、「ＳＹＳＴＥＭ  ＡＮＤ  ＭＥＴＨＯＤ  ＥＮＡＢＬＩＮＧ  ＡＤＶＥＲＴＩＳＥＲＳ  ＴＯ  ＡＤＶＥＲＴＩＳＥ  ＶＩＡ  Ａ  ＳＹＳＴＥＭ  ＯＦ  ＩＮＴＥＲＡＣＴＩＶＥ  ＡＤＶＥＲＴＩＳＥＭＥＮＴ  ＩＭＡＧＥＳ  ＥＭＢＥＤＤＥＤ  ＡＮＤ  ＤＩＳＰＬＡＹＥＤ  ＷＩＴＨＩＮ  ＡＤＶＡＮＣＥＤ  ＴＥＬＥＶＩＳＩＯＮ  ＰＲＯＧＲＡＭＭＩＮＧ  ＡＮＤ  ＵＴＩＬＩＺＥＤ  ＩＮ  ＣＯＮＪＵＮＣＴＩＯＮ  ＷＩＴＨ  ＡＬＴＥＲＮＡＴＥ  ＴＥＬＥＶＩＳＩＯＮ  ＣＨＡＮＮＥＬ（Ｓ）」という名称の、２００１年５月２６日に公告された、特許出願第ＣＡ２２９１４２６Ａ１号により、高度のテレビ広告のシステムを通じて消費者製品の広告およびマーケティングを実現する商業の方法およびシステムが開示されることにも留意されたい。このシステムは、テレビ視聴セッションに対して混乱させるインタラクティブ広告画像が、ある形式でテレビ番組内に埋め込まれているのだが、この形式により、高度なテレビで視聴するとき埋め込まれた画像（複数可）がテレビ番組の視野内に出現する。視聴者が前記画像（複数可）を視野から取り除くために、視聴者は、視聴者入力デバイス（例えば、リモートコントロール）を介して、画像（複数可）とインタラクトを行うことが必要となる。前記視聴者がインタラクティブイベントを起動したのに続いて、広告画像を含む番組は視野から消失し、短い広告セッションが、広告画像を含まないテレビチャネルへのテレビの再同調をする以前にレイテンシ期間中に表示される。一旦、復帰プロセスが完了すると、次いで視聴者が、所定の時間、広告画像によって中断されない、ベースのテレビ番組を視聴することができる。このシステムは、多重テレビ信号が共に多重化され通信ネットワークシステムワークを経由して視聴者ロケーションに送信されるシステムを介して、動作する。第１の多重化信号（チャネルＡ）は、ベースのテレビ番組および埋込みインタラクティブ広告画像（複数可）を含み、第２の信号（チャネルＢ）は、暗号化され、広告画像のない前記ベースのテレビ番組の同一バージョンを含む。第３の信号（チャネルＣ）は、インタラクティブとなりうる広告シーケンスを含む。視聴者がチャネルＡに表示された画像とインタラクトを行うとき、テレビがチャネルＣにそれ自体をシームレスに再同調させる間、復号および／または位置の識別コードが生成され、ファイルテレビがチャネルＢにそれ自体を第２の時間に再同調させる前に、短いテレビコマーシャルが表示される。この手順中に、チャネルＡの識別子が、プロセッサによって格納され、チャネルＢ視聴セッションが終了するとき、チャネルＡに再同調するために使用される。システムの主要な収入源は、広告するためにそのシステムを利用する広告主（複数可）、ならびに市場製品（複数可）および／またはサービス（複数可）から得られる。
【００３１】
ＲＯＷＥ  ＳＩＭＯＮ  Ｍ  ［ＧＢ］による、「ＤＩＳＰＬＡＹＩＮＧ  ＡＤＶＥＲＴＩＳＥＭＥＮＴＳ  ＯＮ  ＢＬＡＮＫ  ＴＥＬＥＶＩＳＩＯＮ  ＯＵＴＰＵＴ」という名称の、２０１１年４月１４日に公告された、米国特許出願公開第ＵＳ２０１１／０８８０６１Ａ１号により、視聴デバイスがチャネルに同調している間テレビ広告を提供するために、コンピュータ記憶媒体上でエンコードされるコンピュータプログラムを含む、方法、システムおよび装置が開示されることにも留意されたい。一態様では、視聴デバイスが、チャネルに同調する信号の受信に応答して、１つまたは複数の広告用の広告データを記憶するデータ記憶デバイスから広告用の広告データを選択し、チャネルに同調するときビデオ信号を発生し、ビデオ信号は、視聴デバイスがチャネルに同調し、テレビデバイスで表示している期間のみ発生し、このビデオ信号が、広告をテレビデバイスに表示させる。
【００３２】
ＯＫＴＶ  ＩＮＣ［ＵＳ］による、「Ｉｎｔｅｌｌｉｇｅｎｔ  ａｎｄ  ｕｓｅｒ  ｆｒｉｅｎｄｌｙ  ｃｈａｎｎｅｌ  ｕｐ／ｄｏｗｎ  ｃｏｎｔｒｏｌ」という名称の、１９９７年１１月１３日に公告された、国際公開第ＷＯ９７／４２７５９Ａ１号により、テレビ受信装置が、加入してないテレビチャネルおよび所定のコンテンツ評価基準を満たす番組のチャネルなどの、観ることが視聴者に承認されていないテレビチャネルの表示を選択的に抑制するための技術が開示されることにも留意されたい。テレビチャネルの番組のコンテンツを表す評価データなどの、テレビ受信装置によって受信可能なテレビチャネルに関連するテレビチャネル情報が、得られる。視聴者が表示を抑制したいこれらのチャネルのコンテンツ評価基準を表す評価コードも得られる。チャネルアップボタンとチャネルダウンボタンのどちらかが視聴者によって操作されるとき、次のテレビチャネルに関連する評価データは、評価コードと比較されて、そのテレビチャネルが所定のコンテンツ評価基準を満たすかどうかを判定する。もし満たすならば、このチャネルは遮断され、所定のコンテンツ評価基準を満たさない評価データを有する別のチャネルが、次いで選択され、その番組放送が表示されて、視聴者が容認できるテレビ番組を放送するチャネルを見ることが可能となる。
【００３３】
最後に、ＣＨＯ  ＮＡＭ−ＳＨＩＮ  ［ＫＲ］による、「Ｍｅｔｈｏｄ  ｆｏｒ  ｐｒｏｖｉｄｉｎｇ  ｉｎｆｏｒｍａｔｉｏｎ  ｄｕｒｉｎｇ  ａ  ｃｈａｎｎｅｌ  ｃｈａｎｇｅ  ｉｎ  ａ  ｄｉｇｉｔａｌ  ｂｒｏａｄｃａｓｔ  ｒｅｃｅｉｖｅｒ」という名称の、２００６年５月１７日に公告された、欧州特許出願公開第ＥＰ１６５７９１８Ａ１号により、新たなチャネルに目下のチャネルから変更する間デジタル放送受信機のビデオ情報を表示するための方法が、開示される。この方法は、広告、ユーザによって選択された情報または番組ガイドなどのビデオ情報を表示するのに適している。
【図面の簡単な説明】
【００３４】
【図１】本発明の一実施の形態を示す図である。
【発明を実施するための形態】
【００３５】
本発明の特徴的な実施形態は、前記チャネル選択ナビゲーションが、電子番組ガイドＥＰＧを選択すること、チャネルのモザイク視聴を選択すること、または前記音声−映像レンダリングデバイスのユーザによって制御される前記トリックプレイコマンドを介して前記第２のチャネルに切り替えることに基づいている。
【００３６】
チャネル選択ナビゲーションは、電子番組ガイドＥＰＧまたはＴＶチャネルモザイクによる番組切替え（もしくは「ザッピング」）またはブラウジングなどの機構を使用することができる。いずれかのこうした、速いチャネル変更、短時間のチャネル視聴、または電子番組ガイドＥＰＧに簡単にアクセスすること、またはいずれかのプレビューもしくはチャネルのモザイク視聴もしくは他の同様のコンテンツ検索フィーチャを選択することは、チャネル選択ナビゲーションの開始であるとしてみなされる。
【００３７】
本発明の好ましい特徴的な実施形態では、前記方法が、前記音声−映像レンダリングデバイスで、前記所定のコンテンツタイプのマルチメディアデータの差し替えで第２のコンテンツタイプのマルチメディアデータを表示するステップをさらに含み、前記第２のコンテンツタイプが、前記所定のコンテンツタイプと異なる。
【００３８】
所定のコンテンツタイプのマルチメディアデータの差し替えで表示される第２のコンテンツタイプのマルチメディアデータは、例えば、この目的のためにキャッシュされた最近の過去の番組放映時間またはこうした番組の放映時間の最初の数秒（もしくは数分）とする。
【００３９】
本発明の別の特徴的な実施形態は、前記第２のコンテンツタイプの前記マルチメディアデータが、前記音声−映像レンダリングデバイスで、所定のコンテンツタイプのマルチメディアデータの差し替えで表示され、次いで所定の時間遅延中に前記第２のチャネルで送信されるものである。
【００４０】
マルチメディアコンテンツの所定のコンテンツタイプが広告である場合、所定の時間遅延は「広告放映猶予期間」と呼ばれる。
【００４１】
重ねて言うが、本発明の別の特徴的な実施形態は、前記方法が、前記第２のチャネルで送信された前記所定のコンテンツタイプのマルチメディアデータを所定の時間遅延後に前記音声−映像レンダリングデバイスで表示することを可能にするステップを含むものである。
【００４２】
先に述べたように、マルチメディアコンテンツの所定のコンテンツタイプが広告である場合、広告は、番組に資金を提供するために放映される必要があることに留意されたい。言い換えれば、そのチャネルで放映される番組の資金提供を保証するために、広告の所定のクオータが各チャネルで放映されなければならない。
【００４３】
したがって、第２のチャネルで送信された例えば広告などの所定のコンテンツタイプのマルチメディアデータが、音声−映像レンダリングデバイスで表示することを完全に防止する代わりに、ユーザが、所定のタイマー遅延、例えば数分などより長く第２のチャネルに留まるとすぐに広告放映の表示が始動する。この所定の遅延は、ユーザの挙動に対して設定または調整されうる。
【００４４】
上述の知られている文書により、例えばコマーシャル広告などの所定のコンテンツタイプのマルチメディアデータを取り除こうとすること（ユーザ利益）と、ユーザがそれを見るようにさせること（放送者利益）のどちらかの方法が開示される。ただし、最初に所定のコンテンツタイプのマルチメディアデータが表示されることを防止し、次いで時間遅延後にこのマルチメディアデータを表示するという特徴は、これら文書のいずれでも開示も教示もされていない。
【００４５】
本発明は、ザッピングするとき、結局は見させるコマーシャルを十分に有する放送者の利害と競合することなく、また、ユーザの快適な視聴と競合することなく、例えばコマーシャルなどの代わりに、主コンテンツを見せるという課題をさらに解決する。
【００４６】
本発明のさらに別の特徴的な実施形態は、チャネルで送信されたマルチメディアデータが、サーバによって提供され、前記所定のコンテンツタイプのマルチメディアデータが、第１のサーバタイプのサーバによって提供され、前記第２のコンテンツタイプのマルチメディアデータが第２のサーバタイプのサーバによって提供されることである。
【００４７】
これらのサーバは、一般に、例えばタイムシフトメディアストレージ、またはユーザが次に選択した第２のチャネルをより容易に見るように引きつける、第２のコンテンツタイプのマルチメディアデータとして有効な番組プレビューを提供するように特に設計された特別プレビューコンテンツマルチメディアデータベースとすることができる、マルチメディアデータベースを備える。マルチメディアデータベースまたは少なくともその機能モジュールは、ネットワーク、ＩＳＰドメイン、クラウド、顧客構内インフラストラクチャで配備され、またはさらに１箇所より多くの箇所でも配備されうる。
【００４８】
本発明は、リモートコントロールユニットを備える音声−映像レンダリングデバイスでのマルチメディアデータの表示を制御するための制御デバイスにも関し、そのマルチメディアデータが、あるタイプのマルチメディアコンテンツを有し、前記レンダリングデバイスで受信するチャネルで送信され、前記リモートコントロールユニットが、前記レンダリングデバイスで、第１のチャネルから第２のチャネルへのチャネル選択ナビゲーションを作動させるように構成される。
【００４９】
上述の方法に関する限りでは、本発明の目的は、コントロールデバイスを提供し、それよって、チャネル選択ナビゲーションが、ユーザが視聴する番組を検索するとき、音声−映像レンダリングデバイスで例えば広告またはアダルトコンテンツなどの所定のコンテンツタイプのマルチメディアデータの表示によって変えられないことである。
【００５０】
本発明の特徴的な実施形態によれば、本目的は、前記コントローラが、
−前記リモートコントロールユニットの動作をインターセプトするように構成されたリモートコントロールユニットコマンド受信機と、
−前記リモートコントロールユニットのインターセプトした動作が、チャネル選択ナビゲーションを作動させることを含むかどうかを分析するように構成されたトリックプレイコマンドアナライザと、
−前記リモートコントロールユニットがチャネル選択ナビゲーションを作動させた場合に、前記第２のチャネルで送信されたマルチメディアデータのタイプを解釈するように構成された検索／発見モード検出器と、
−前記第２のチャネルで送信されたマルチメディアデータが所定のコンテンツタイプのものである場合に、前記第２のチャネルで送信されたマルチメディアデータが前記音声−映像レンダリングデバイスに表示されるのを防止するように構成されたマルチメディアコンテンツタイプコントローラと、
を備えることに因り達成される。
【００５１】
本発明の制御デバイスは、本発明の上述の方法に従って動作するように特に構成されることに留意されたい。
【００５２】
本発明の特徴的な実施形態は、前記制御デバイスが、前記所定のコンテンツタイプのマルチメディアデータの差し替えで第２のコンテンツタイプのマルチメディアデータを、前記音声−映像レンダリングデバイスに表示することを制御するように構成された番組フィーダをさらに備え、マルチメディアコンテンツの前記第２のコンテンツタイプが、マルチメディアコンテンツの前記所定のコンテンツタイプと異なるものである。
【００５３】
この方式では、本発明の制御デバイスが、本発明の方法に関係した先に述べた全ての有利な特徴を示す。
【００５４】
本発明の好ましい特徴的な実施形態では、前記番組フィーダが、前記第２のコンテンツタイプのマルチメディアデータを提供するように構成された少なくとも１つのサーバに結合される。
【００５５】
本発明の方法および制御デバイスのさらなる特徴的な実施形態については、付属の特許請求の範囲において述べられる。
【００５６】
特許請求の範囲において使用される用語「備える」または「含む」は、その後に列挙される手段に限定されると解釈されるべきではないことに留意されたい。したがって、「手段ＡとＢとを備えるデバイス」などの表現の範囲は、その手段ＡとＢからのみなるデバイスの実施形態に限定されるべきではない。これは、本発明の実施形態に関してＡとＢがデバイスの基本的な手段であるということを意味する。
【００５７】
同様に、特許請求の範囲において使用される用語「結合された」も、直接接続のみに限定されると解釈されるべきではないことに留意されたい。したがって、「デバイスＢに結合されたデバイスＡ」などの表現の範囲は、デバイスＡの出力がデバイスＢの入力に直接接続されるデバイスの実施形態に限定されるべきではない。これは、Ａの出力とＢの入力との間に経路が存在してよく、その経路が他のデバイスまたは手段を含むことができるということを意味する。
【００５８】
本発明の方法のさまざまな機能モジュールおよびその方法を使用する制御デバイスを示す添付の図面に併せて次に続く一実施形態の説明を参照することによって、本発明の上記および他の目的ならびに特徴が、より明らかになり、本発明それ自体は、最もよく理解されよう。
【００５９】
ＴＶデバイス、ＰＣ、タブレット、ネットブック、スマートフォンまたは任意の他の音声−映像レンダリング可能デバイスなどの、音声−映像レンダリングデバイスもしくはビデオプレイバックレンダリングデバイス（Ｖｉｄｅｏ  ＰｌａｙＢａｃｋ  Ｒｅｎｄｅｒｉｎｇ  Ｄｅｖｉｃｅ）ＡＶＤのユーザが、第１のチャネルから第２のチャネルにチャネル選択ナビゲーションを実行するとき、このユーザは、この第２のチャネルで次に放映される「通常の」番組がレンダリングデバイスＡＶＤに表示されるのを見ることを予期する。
【００６０】
しかし、第２のチャネルが、次に通常の番組、すなわち第１のタイプのマルチメディアコンテンツの代わりに別の所定のコンテンツタイプのマルチメディアデータを目下送信している、ということが起こる可能性がある。このマルチメディアコンテンツの所定のコンテンツタイプは、例えば広告またはアダルトマルチメディアであるかもしれず、少なくとも第２のチャネルの通常の番組を見る上での快適性のために、その時間に表示されることが防止されるべきである。
【００６１】
その結果として、音声−映像レンダリングデバイスＡＶＤで、どの特定のタイプのマルチメディアデータが、どのように、いつ表示されるかを制御することが重要になる可能性がある。これが、本発明の目的である。
【００６２】
この後の説明は、より詳細には、第２のチャネルがチャネル選択ナビゲーション後に選択されるとき、レンダリングデバイスＡＶＤに表示される所定のコンテンツタイプのマルチメディアコンテンツとしての広告を防止するための方法および制御デバイスに関するということに留意されたいが、本発明は、広告表示の制御のみに限定されるものではないことが明確に理解されるべきである。
【００６３】
単語「チャネル」は、例えば、ＴＶ放送局（通常「ＴＶチャネル」と呼ばれる）またはインターネット上の「Ｏｖｅｒ  Ｔｈｅ  Ｔоｐ」ＯＴＴサービスプロバイダなど、番組サーバＰＧＳ、プレビューサーバＰＲＳおよび／または広告サーバＡＤＳによって提供される、１セットの番組または音声−映像マルチメディアデータとして広義で理解されなければならないことにも留意されたい。サーバは、ケーブルもしくはＤＳＬもしくは他の手段を介して、リアルタイムまたはタイムシフト提供でまたはオンデマンド提供を用いて、連続する音声−映像マルチメディアデータの形で、番組および／または広告をユーザに提供するために、１つまたは複数マルチメディアデータベースを備えることができる。ＴＶ放送局の場合、番組は、デジタルＴＶまたはＩＰＴＶまたはインターネットなどのインフラストラクチャを用いて送信されるが、ＯＴＴサービスプロバイダの場合は、番組はインターネットで送信される。
【００６４】
以下の説明は、より具体的に音声−映像レンダリングデバイスとしてのＴＶデバイスＡＶＤに関するが、説明は任意の他の種類の音声−映像レンダリング可能デバイスに応用可能である。
【００６５】
ＴＶデバイスＡＶＤは、リモートコントロールユニットＲＣＵから制御信号を受信するリモートコントロールユニットコマンド受信機ＲＣＵＣＲを備えている。リモートコントロールユニットコマンド受信機ＲＣＵＣＲは、情報をトリックプレイコマンドアナライザＴＰＣＡと交換する。
【００６６】
ユーザが、ＴＶデバイスＡＶＤで、第１のチャネルから第２のチャネルへのチャネル選択ナビゲーションを作動させるために、リモートコントロールユニットＲＣＵでトリックプレイコマンドを起動するとき、この動作は、リモートコントロールユニットコマンド受信機ＲＣＵＣＲによってインターセプトされ、トリックプレイコマンドアナライザＴＰＣＡに送信される。
【００６７】
トリックプレイコマンドアナライザＴＰＣＡは、トリックプレイコマンドへの反応を担い、リモートコントロールユニットコマンド受信機ＲＣＵＣＲによってインターセプトされた動作が、チャネル選択ナビゲーションを作動させることに基づいているかどうかを検出することができる。
【００６８】
トリックプレイコマンドアナライザＴＰＣＡは、それ自体検索／発見モード検出器ＳＤＭＤを用いて動作する。インターセプトした動作がチャネル選択ナビゲーションを作動させる場合、検索／発見モード検出器ＳＤＭＤは、次に第２のチャネルで送信されるマルチメディアコンテンツのタイプを解釈する。
【００６９】
第２のチャネルで送信されるマルチメディアデータが、たとえば広告ＡＤＳなどの所定のコンテンツタイプのものである場合、検索／発見モード検出器ＳＤＭＤに結合されたマルチメディアコンテンツタイプコントローラＡＤＩＦは、所定のコンテンツタイプＡＤＳのマルチメディアデータがＴＶデバイスＡＶＤに表示されるのを防止する。
【００７０】
以下に説明するように、マルチメディアコンテンツタイプコントローラＡＤＩＦは、ＴＶデバイスＡＶＤに結合され、「広告放映猶予期間」モードをもつ広告制御機能を有する。
【００７１】
マルチメディアコンテンツタイプコントローラＡＤＩＦが、少なくとも１つの広告サーバＡＤＳおよび／またはプレビューサーバＰＲＳに結合される。
【００７２】
制御デバイスが、検索／発見モード検出器ＳＤＭＤと、第２のコンテンツタイプ、すなわち番組のマルチメディアデータを提供することができる少なくとも１つの番組サーバＰＧＳおよび／またはプレビューサーバＰＲＳに結合された番組フィーダＰＧＦをさらに備える。
【００７３】
番組フィーダＰＧＦは、次に第２のチャネルで送信される所定のコンテンツタイプ、すなわちサーバＡＤＳからのマルチメディアデータの表示の差し替えで、第２のコンテンツタイプ、すなわちサーバＰＧＳまたはＰＲＳからのマルチメディアデータを、ＴＶデバイスＡＶＤに表示するようにマルチメディアコンテンツタイプコントローラＡＤＩＦを制御する。
【００７４】
広告は、チャネルの「通常の」番組に資金を提供するために表示される必要があることに留意されたい。しかし、広告は、特に、ただしこれに限らないが、先に示したようにユーザが見る別の番組に切り替えるまたは検索するために、チャネル選択ナビゲーションを実行しているとき、ユーザの受け取る側の快適さを変えるかもしれない。
【００７５】
ＴＶデバイスＡＶＤでチャネル選択ナビゲーション中に、広告の表示の必要性と番組検索効率の改善との妥協点を見つけるために、いわゆる「広告放映猶予期間」が作られる。この広告放映猶予期間中に、広告が音声−映像レンダリングデバイスＡＶＤに全く表示されないことにより、ユーザが見る番組を有効に気持ちよく探す、または発見することが可能となる。
【００７６】
ＴＶデバイスＡＶＤのユーザが、チャネル選択ナビゲーションを実行することによって、別のチャネルを探したい、または検索したいとき、このチャネル選択ナビゲーションの開始が広告放映猶予期間の開始として検出される。
【００７７】
チャネル選択ナビゲーションは、電子番組ガイドＥＰＧを選択すること、チャネルのモザイク視聴、またはＴＶデバイスＡＶＤのユーザによって制御されるトリックプレイコマンドを介して別の（第２の）チャネルに単純に切り替えることなどの、他の同様のコンテンツ検索フィーチャを選択することを含む。
【００７８】
ユーザトリックプレイコマンドのインターセプトおよび分析により、何が見られているか、また、例えば第２のチャネルがどのくらいの時間、見られるか、視聴されるかまたはプレビューされるかなどの、これがどのように見られるか、ということを検出することが可能となる。したがってトリックプレイコマンドの分析は、チャネル選択ナビゲーションの期間の測定を含むことができる。
【００７９】
第２のチャネルで送信されたマルチメディアデータが広告の所定のコンテンツタイプのものである場合、マルチメディアコンテンツタイプコントローラＡＤＩＦは、広告放映猶予期間を始動することを決定する。次いで、任意の広告プログラミングは、マルチメディアコンテンツタイプコントローラＡＤＩＦの広告放映猶予期間モードをもつ広告制御機能の命令によって、放映が防止される。
【００８０】
この広告放映猶予期間中に、所定の時間遅延に対応して、第２のコンテンツタイプ、すなわち番組サーバＰＧＳまたはプレビューサーバＰＲＳからなどのマルチメディアデータは、次に第２のチャネルで送信される広告の差し替えで、ＴＶデバイスＡＶＤに表示される。
【００８１】
好ましい環境では、プレビューサーバＰＲＳのマルチメディアデータベース（複数可）が、番組サーバＰＧＳのマルチメディアデータベース（複数可）のプログラミングコンテンツそれぞれに関する特別なプレビューコンテンツを含み、これにより、ユーザが見るものを探しているときのために有効なプレビュー番組をユーザに提供することが可能になる。この特別なプレビューコンテンツは、一般に、番組サーバＰＧＳから関連するプログラミングコンテンツまたは「通常の」コンテンツをより容易に見るようにユーザを引きつけるための効率的な番組プレビューを提供するように特別に設計される。
【００８２】
言い換えれば、プレビューサーバＰＲＳによって提供された第２のコンテンツタイプのマルチメディアデータは、第２のチャネルで送信される番組サーバＰＧＳのマルチメディアデータに関係する。
【００８３】
広告を差し替えるために放映される番組は、この目的のためにキャッシュされた最近の過去の番組放映時間から、またはタイムシフトメディアストレージから、またはこうした番組の放映時間の最初の数秒（数分）からももたらされうる。
【００８４】
数秒または数分測定された所定の時間遅延の最後または広告放映猶予期間の最後に、マルチメディアコンテンツタイプコントローラＡＤＩＦにより、例えば広告サーバＡＤＳなどからの広告の所定のコンテンツタイプのマルチメディアデータが再度送信されることが可能となる。
【００８５】
一方で、ユーザが視聴のためのチャネルをＥＰＧからまたはモザイク機能から選択するのを検出することよってなど、ユーザがあるチャネルによって満足することが検出されたらすぐに、広告放映猶予モードも中断される。
【００８６】
広告放映猶予期間の持続時間は、ユーザの挙動に対して設定または調整されうることに留意されたい。
【００８７】
ただし、ユーザが広告を完全に回避するためにこの広告放映猶予期間モードを利用する有意なリスクはない。ユーザが、広告の放映が始動するやいなや、チャネルを繰り返し変更する場合には、次いでこの挙動の数分後、広告は全てのチャネルで放映を始動する。ただし、ユーザの挙動観察によると、この挙動の可能性は低い。
【００８８】
この方法では、いくつかの機能モジュールが１つにグループ化されうる、またはある機能モジュールがサブモジュールに分割されうるといった、特殊な実施を強いられることはないことにも留意されたい。
【００８９】
また、機能モジュールは、ネットワーク、ＩＳＰドメイン、クラウド、顧客構内インフラストラクチャで配備され、１箇所より多くの箇所で配備されうる。
【００９０】
本発明の実施形態については、機能的ブロックの用語で上記に説明されていることを最後に述べる。上記で与えられたこれらのブロックの機能的説明から、電子デバイスを設計する当業者には、これらのブロックの実施形態がどのようによく知られた電子構成部品で製造されうるかについては、明らかであろう。したがって、機能的ブロックのコンテンツの詳細なアーキテクチャについては、示さない。
【００９１】
本発明の原理については、具体的な装置と関連させて上記で説明してきたが、この説明は、単に例としてなされたものであり、本発明の範囲を限定するものではなく、付属の特許請求の範囲で定義されるものであることが明確に理解されたい。
【図１】
0005914700.tif 000002